(57)【要約】【課題】薬液が作業者に飛散するのを効果的に防止でき、しかしながら飛散防止の為に設けたカバー体が塗布面を引っ掻いたりすることが無く、綺麗に塗布が行なえる塗布具を提供することである。【解決手段】把持部１と、把持部１からの延在部に対して取り付けられた回転ローラ３と、把持部１からの延在部に対して取り付けられた回転ローラ３を覆う回動可能なカバー体４とを備えた塗布具であって、カバー体４を特定方向に付勢させる付勢手段を備えてなる。【選択図】図１
2008302272.tif 000002
【特許請求の範囲】
【請求項１】
把持部と、前記把持部からの延在部に対して取り付けられた回転ローラと、前記把持部からの延在部に対して取り付けられた前記回転ローラを覆う回動可能なカバー体とを備えた塗布具であって、
前記カバー体を付勢する付勢手段を備えた
ことを特徴とする塗布具。
【請求項２】
付勢手段は、
回転ローラを回転させながら前方側に移動させた場合、カバー体の前端側を接地させ、カバー体の後端側を浮上させるよう構成されてなる
ことを特徴とする請求項１の塗布具。
【請求項３】
付勢手段は、
回転ローラの時計方向の回転に際しては、カバー体に時計方向の回動力を作用させ、回転ローラの反時計方向の回転に際しては、カバー体に反時計方向の回動力を作用させるよう構成されてなる
ことを特徴とする請求項１又は請求項２の塗布具。
【請求項４】
付勢手段は、
回転ローラとカバー体との間に設けられた摩擦体を介して、前記回転ローラの回転力が前記カバー体に回動付勢力として伝達されるよう構成されてなる
ことを特徴とする請求項１〜請求項３いずれかの塗布具。
【請求項５】
回転ローラの一部がカバー体で覆われて無いようにカバー体が構成されてなる
ことを特徴とする請求項１〜請求項４いずれかの塗布具。
【請求項６】
カバー体の回転中心位置よりも下方位置において前方側に突出した突出部がカバー体に設けられてなる
ことを特徴とする請求項１〜請求項５いずれかの塗布具。
【請求項７】
カバー体の回転中心位置よりも下方位置において回転中心を有するローラがカバー体に設けられてなり、前記ローラは、該ローラ前端が前記カバー体前端より突出している大きさである
ことを特徴とする請求項１〜請求項６いずれかの塗布具。
【請求項８】
カバー体の回転軸芯と回転ローラの回転軸芯とが同一ライン上に在るように構成されてなる
ことを特徴とする請求項１〜請求項７いずれかの塗布具。
【発明の詳細な説明】
【技術分野】
【０００１】
本発明は塗布具に関する。例えば、塗料や黴除去などの薬液、その他の流体を塗布するに際して用いられる塗布具に関する。
【背景技術】
【０００２】
実開昭５７−３５８８０号公報、実開昭６２−２０２３８２号公報、実開平２−４８１７５号公報、特開２０００−１９７８４９号公報、及び特開２００２−１４３７５４号公報に示される通り、塗料などの塗布に際して、把持部の先端部に回転自在に取り付けられた回転ローラを有する塗布具が広く用いられている。
【０００３】
ところで、前記提案の塗布具において、回転ローラに付いた塗料の飛散を防止、特に、作業者への飛散を防止する為、回転ローラを覆うようにカバー体を設けることが提案されている。
【特許文献１】実開昭５７−３５８８０号公報
【特許文献２】実開昭６２−２０２３８２号公報
【特許文献３】実開平２−４８１７５号公報
【特許文献４】特開２０００−１９７８４９号公報
【特許文献５】特開２００２−１４３７５４号公報
【発明の開示】
【発明が解決しようとする課題】
【０００４】
さて、上記の如くの塗布具が提案されているものの、未だ、提案に過ぎず、現実には、実用化されて無い。
実用化されて無い原因は次のようなことであることが判って来た。
例えば、回転ローラを覆うカバー体が回転自在になっていると、塗布に際して、カバー体の一端が塗料塗布後の塗布面に引っ掻くように接触することが起きる。そうすると、それが軌跡となり、塗布が良好に行なわれない。
カバー体が固定されていても、把持部を持った腕を前方側に伸ばしたり、後方側に引っ込めたりして塗布している時、その屈伸度合いによっては、カバー体が塗布面に接触する。従って、この場合にも、やはり、カバー体の一端が塗料塗布後の塗布面に引っ掻くように接触し、それが軌跡となって、塗布が良好に行なわれない。
【０００５】
いずれにしても、従来の塗布具では、塗料の塗布が綺麗に行え無い。
【０００６】
従って、本発明が解決しようとする課題は、上記の問題点を解決することである。すなわち、塗料などの薬液が作業者に飛散するのを効果的に防止でき、しかしながら飛散防止の為に設けたカバー体が塗布面を引っ掻いたりすることが無く、綺麗に塗布が行なえる塗布具を提供することである。
【課題を解決するための手段】
【０００７】
さて、回転ローラに付けた薬液が作業者に飛散するのを効果的に防止する為には、やはり、回転ローラを覆うカバー体が必要であろう。
従って、カバー体に対して如何なる工夫を施すかが問題である。
【０００８】
この問題に対する検討を、鋭意、推し進めて行く中に、これまでの塗布具における問題点は、カバー体が塗布面に接触するから問題が起きることに気付いた。すなわち、非常に簡単な事であるが、塗布後の面では無く、塗布前の面（これから、塗布しようとする面）にカバー体が接触しても、これは、一向に差し支えが無い。従って、塗布前の面に接触するようにカバー体を回動可能に取り付けたならば、前記の問題点が解決されるであろうとの啓示を得るに至った。
【０００９】
このような知見に基づいて本発明がなされたものである。
すなわち、前記の課題は、
把持部と、前記把持部からの延在部に対して取り付けられた回転ローラと、前記把持部からの延在部に対して取り付けられた前記回転ローラを覆う回動可能なカバー体とを備えた塗布具であって、
前記カバー体を付勢する付勢手段を備えた
ことを特徴とする塗布具によって解決される。
【００１０】
特に、上記の塗布具であって、付勢手段は、前記回転ローラを回転させながら前方側に移動させた場合、カバー体の前端側を接地させ、カバー体の後端側を浮上させるよう構成されてなることを特徴とする塗布具によって解決される。或いは、上記の塗布具であって、付勢手段は、前記回転ローラを回転させながら後方側に移動させた場合、カバー体の後端側を接地させ、カバー体の前端側を浮上させるよう構成されてなることを特徴とする塗布具によって解決される。中でも、上記の塗布具であって、付勢手段は、前記回転ローラを回転させながら前方側に移動させた場合、カバー体の前端側を接地させ、かつ、カバー体の後端側を浮上させるよう構成されてなると共に、前記回転ローラを回転させながら後方側に移動させた場合、カバー体の後端側を接地させ、カバー体の前端側を浮上させるよう構成されてなることを特徴とする塗布具によって解決される。或いは、上記の塗布具であって、付勢手段は、前記回転ローラの時計方向の回転に際しては、カバー体に時計方向の回動力を作用させ、前記回転ローラの反時計方向の回転に際しては、カバー体に反時計方向の回動力を作用させるよう構成されてなることを特徴とする塗布具によって解決される。
【００１１】
上記構成の付勢手段としては、各種の手法が考えられる。例えば、バネ等の付勢手段を用いることによっても構成できる。しかしながら、バネのような付勢手段を用いた場合には、回転ローラの正転・逆転（前進・後退）に際して、付勢方向を切り替える手段も必要になる。これでは、意外と煩雑になる。従って、回転ローラの正転・逆転に際して、付勢方向が自動的に切り替わるようにしておくことが好ましい。このような手法は、次のように構成させることで簡単に実現できる。すなわち、上記の塗布具であって、付勢手段は、回転ローラとカバー体との間に設けられた摩擦体を介して、前記回転ローラの回転力が前記カバー体に回動付勢力として伝達されるよう構成されてなることを特徴とする塗布具によって解決される。更に、具体的に言うと、回転ローラの側面にゴムなどの弾性体を圧着させ、この弾性体を回動可能なカバー体に固定しておけば、実現できる。或いは、回転ローラの側面にゴムなどの弾性体を取り付けておき、この弾性体をカバー体の構成部分に圧着させることでも良い。このように構成させたならば、回転ローラとカバー体との間に生ずる摩擦力がカバー体に対する回動付勢力として作用する。しかも、回転ローラの正転・逆転に際して、付勢方向が自動的に切り替わる。
【００１２】
又、上記の塗布具であって、回転ローラの一部がカバー体で覆われ無いようにカバー体が構成されてなることを特徴とする塗布具によって解決される。
【００１３】
又、上記の塗布具であって、カバー体の回転中心位置よりも下方位置において前方側に突出した突出部がカバー体に設けられてなることを特徴とする塗布具によって解決される。
【００１４】
又、上記の塗布具であって、カバー体の回転中心位置よりも下方位置において回転中心を有するローラがカバー体に設けられてなり、前記ローラは、該ローラ前端が前記カバー体前端より突出している大きさであることを特徴とする塗布具によって解決される。
【００１５】
又、上記の塗布具であって、カバー体の回転軸芯と回転ローラの回転軸芯とが同一ライン上に在るように構成されてなることを特徴とする塗布具によって解決される。
【発明の効果】
【００１６】
本発明によれば、カバー体によって、回転ローラに付いている薬液の飛散が効果的に防止される。従って、作業環境が改善される。
【００１７】
そして、薬液飛散防止の為に設けたカバー体は、回動可能になっているから、把持部を持った腕の屈伸に応じて塗布面と把持部（腕）とのなす角度が変化しても、この角度変化に応じてカバー体も動き、カバー体が塗布の邪魔にならない。例えば、カバー体が固定であると、腕の屈伸によっては、回転ローラが塗布面に接触する前にカバー体が塗布面に当り、塗布が上手く行なわれなかったりするが、カバー体を回動可能にしたから、斯かる問題が起きない。
【００１８】
そして、カバー体を回動可能にしたものの、薬液を塗布した後の面にはカバー体が当らず、即ち、塗布した後の面をカバー体が引っ掻くようになることが無いので、塗布が良好に行なわれる。
【発明を実施するための最良の形態】
【００１９】
本発明の塗布具は、例えば塗料や黴除去剤などの薬液を塗布する為のものである。そして、把持部と、前記把持部からの延在部に対して取り付けられた回転ローラと、前記把持部からの延在部に対して取り付けられた前記回転ローラを覆う回動可能なカバー体とを有する。本発明は、前記カバー体の姿勢を規制する付勢手段を備えたことが最大の特徴である。
【００２０】
前記付勢手段は、回転ローラを回転させながら前方側に移動させた場合、カバー体の前端側を接地させ、カバー体の後端側を浮上させるよう構成されたものである。或いは、回転ローラを回転させながら後方側に移動させた場合、カバー体の後端側を接地させ、カバー体の前端側を浮上させるよう構成されたものである。特に、回転ローラを回転させながら前方側に移動させた場合、カバー体の前端側を接地させ、かつ、カバー体の後端側を浮上させるよう構成されてなると共に、回転ローラを回転させながら後方側に移動させた場合、カバー体の後端側を接地させ、カバー体の前端側を浮上させるよう構成（回転ローラの時計方向の回転に際しては、カバー体に時計方向の回動力を作用させ、回転ローラの反時計方向の回転に際しては、カバー体に反時計方向の回動力を作用させるよう構成）されたものである。例えば、具体的には、回転ローラとカバー体との間に設けられた摩擦体を介して、前記回転ローラの回転力が前記カバー体に回動付勢力として伝達されるよう構成される。
【００２１】
又、カバー体の回転中心位置よりも下方位置において前方側に突出した突出部がカバー体に設けられている。特に、カバー体の回転中心位置よりも下方位置において回転中心を有するローラがカバー体に設けられ、前記ローラは該ローラ前端が前記カバー体前端より突出している大きさである。又、カバー体の回転軸芯と回転ローラの回転軸芯とが同一ライン上に在るように構成されている。
【００２２】
以下、更に詳しく説明する。
図１〜図３は本発明になる塗布具の一実施形態を示すもので、図１は把持部を手にしている状態（重力以外には外力が何も作用していない状態）での斜視図、図２は垂直壁を上方に走行（前進）させて塗布している状態での説明図、図３は垂直壁を下方に走行（後退）させて塗布している状態での説明図である。
【００２３】
各図中、１は、塗布具Ａの把持部である。すなわち、薬液（塗料とか黴取剤）の塗布に際して、把持部１を手にして塗布具Ａを走行させる（後述の回転ローラによって塗布する）為のものである。
【００２４】
２は、把持部１から延長した所定形状の延在部である。例えば、略「マ」形状になっている。尚、このような形状は、前記特許文献などに挙げた塗布具でも周知である。
【００２５】
３は略円筒状の回転ローラである。回転ローラ３は、その長手方向にそって軸受孔を有しており、この軸受孔に前記把持部１からの延在部２の先端が差し込まれている。従って、延在部２の先端の回りで回転ローラ３は自在に回転できるものとなっている。尚、このような回転構造も前記特許文献などで周知であるから、詳細な説明は省略される。回転ローラ３は、布あるいは不織布もしくはスポンジ等の材料で構成されている。このような点も周知であるから詳細は省略される。
【００２６】
４はカバー体である。このカバー体４のカバー面（枠部および左右の壁面を除いた部分）４ａは透明ないしは半透明な樹脂で構成されている。勿論、不透明であっても良いが、塗布に際して、回転ローラ３の具合や塗布状況などを観察できることから、透明材で構成されていることが好ましい。カバー体の左右の壁面４ｂ，４ｃは、例えば略半円形状である。従って、カバー面４ａは、断面が略半円形状である。勿論、半円を多少越えていても足りなくても差し支え無い。本実施形態にあっては、カバー体４は、略円筒状の回転ローラ３の周囲を約２００°程度の範囲に亘って覆う断面略半円形状の構造である。尚、カバー体４による回転ローラ３の好ましいカバー領域は、１８０°以上の範囲に亘っていることである。そして、３００°以下の範囲亘っていることである。なぜならば、カバー領域（角度）が狭すぎると、薬液の飛散防止効果が小さくなり、逆に、カバー領域（角度）が広すぎると、一度に薬液の塗布が出来る領域が狭くなるからである。従って、上記１８０°〜３００°の範囲で回転ローラを覆うことが好ましいとした。
【００２７】
本実施形態では、カバー体４の壁面４ｂに軸受部４ｄが構成されている。そして、壁面４ｂの軸受部４ｄには、回転ローラ３の場合と同様に、把持部１からの延在部２が差し込まれている。尚、軸受部４ｄは、壁面４ｂに形成された凹部と、壁面４ｂに設けられた先端内側に掛止用凸部を有する弾撥性の略Ｙ形状部材とで構成されている。従って、軸受部４ｄを延在部２から取り外すことが出来る。すなわち、着脱式のものとなっている。又、他方の壁面４ｃの軸受部（軸受部４ｄの構造とは異なり、壁面４ｃに形成された貫通孔）には軸５が差し込まれ、この差し込まれた軸５の先端が前記回転ローラ３の軸受孔に嵌っている。従って、回転ローラ３の回転軸芯を軸心としてカバー体４も自在に回転できるように取り付けられている。
【００２８】
６は軸５に固定されたゴム体である。このゴム体６の側面は回転ローラ３の硬質軸体（図示せず）に圧接している。すなわち、ゴム体６は回転ローラ３に圧接しているから、回転ローラ３が回転すると、摩擦力によって、ゴム体６も同方向に回動しようとする。すなわち、カバー体４も回転ローラ３の回転に伴って回転しようとする。例えば、フリーな状況下では、カバー体４を軸芯の回りで回転させると、回転ローラ３も同様に回転し、回転ローラ３を軸芯の回りで回転させると、カバー体４も同様に回転する。つまり、摩擦力よりも大きな力が作用しない限り、回転ローラ３とカバー体４とは共に回転する。しかしながら、ゴム体６による摩擦力より大きな力がカバー体４に作用したならば、カバー体４は回転しないものの、回転ローラ３は回転できるようになっている。
【００２９】
７ａは、カバー体４の前側枠部に取り付けられたローラである。７ｂは、カバー体４の後側枠部に取り付けられたローラである。尚、ローラ７ａ，７ｂの回転軸芯位置は、図１の如くに塗布具Ａの把持部１を手にした場合、カバー体４の回転軸芯位置（軸５の軸芯位置）より、下方に位置するよう設けられている。従って、図１の如くの状態で、ローラ７ａを垂直壁に押し当てると、ローラ７ａにはカバー体４を時計方向に回動させる力が加わり、図２に示される状態のものになる。尚、ローラ７ａ，７ｂは、回転しないタイプのものでも良いが、回転する方が塗布具Ａの動作性に優れている。
【００３０】
さて、垂直壁に薬液を塗布しようとして、回転ローラ３に薬液を含浸させ、把持部１を手にした状態では、図１に示される如く、カバー体４は自身の重みでカバー面が凹状の姿勢である。すなわち、カバー体４の開口面は上側を向いている。従って、含浸させた薬液が回転ローラから滴るようなことが起きても、カバー体４で受け止められる。
【００３１】
この状態（カバー体４の開口面を上側）にて、塗布具Ａを垂直壁面に近付けると、先ず、ローラ７ａが壁に当たる。そうすると、この接触位置（高さ）はカバー体４の回転軸芯の高さより低い位置に在るから、作用・反作用の原理から判る通り、壁からカバー体４を時計方向に回転させる力が作用する。つまり、カバー体４が回転ローラ３を背後から覆う如く、カバー体４の開口面は水平方向から垂直方向に回転する。従って、難なく、このままで塗布モードに入ることが出来、そして塗布に際して、回転ローラ３から薬液が飛散しても、カバー体４でカバーされているから、作業者には薬液が飛び散り難い。
【００３２】
さて、この状態にて、腕を伸ばして塗布具Ａを上方に移動させる。そうすると、回転ローラ３は時計方向に回転する。これに伴って、薬液の塗布が行なわれる。この時、時計方向に回転する回転ローラ３にゴム体６が圧接しているから、摩擦力によってカバー体４には時計方向に回転する力が作用する。従って、図２から判る通り、ローラ７ａは壁面に当っているものの、ローラ７ｂは壁面に当って無い。すなわち、ローラ７ａは接地状態に在るものの、ローラ７ｂは浮上状態に在る。言い換えれば、カバー体４の前端側（上端側）が接地し、カバー体の後端側（下端側）が浮上状態に在る。よって、この状態では、薬液が塗布された後の面にはカバー体４は触れてない。触れているのは、薬液が塗布される前の面である。従って、カバー体４によって塗布面が悪影響を受けることが無い。
【００３３】
ところで、伸ばした腕を屈めて塗布具Ａを下方に移動させようとすると、図３に示される状態のものになる。すなわち、下方に移動させると、回転ローラ３は反時計方向に回転する。これに伴って、薬液の塗布が繰り返して行われ、上塗りされる。この時、反時計方向に回転する回転ローラ３にはゴム体６が圧接しているから、摩擦力によってカバー体４には反時計方向に回動する力が作用する。従って、カバー体４が反時計方向に回動するから、図３から判る通り、ローラ７ａは壁面から離れ、ローラ７ｂが壁面に当たる。すなわち、ローラ７ｂは接地状態に在るものの、ローラ７ａは浮上状態に在る。言い換えれば、カバー体４の上端側が浮上し、カバー体の下端側が接地状態に在る。この状態では、薬液が再塗布された後の面にカバー体４が触れることは無い。触れているのは、薬液が再塗布される前の面である。従って、カバー体４によって塗布面が悪影響を受けることが無い。
【００３４】
さて、垂直面に対する塗布に大きな特長を奏することは上記した通りであるが、例えば水平な天井面（又は床面）の塗布にも同様に威力を発揮する。すなわち、薬液の飛散を防止でき、かつ、塗布面に悪影響を引き起こし難い。かつ、塗布作業性も良好である。更に、予め、床にシートを敷いた後で天井面の塗布と言った養生（予備）作業が不要であり、非常に簡便である。
【００３５】
尚、上記カバー体４を脱着できるものとしておくと、薬液中に回転ローラを漬す場合にカバー体４を外した状態で出来、非常に便利である。勿論、完全に取り外すのみでは無く、回転ローラ３の位置から離れた位置に移動できる構造のものであっても良い。
【００３６】
図４は、本発明の第２実施形態になる塗布具の説明図である。
本実施形態の塗布具Ｂも基本的な構造は前記実施形態の塗布具と同じである。
但し、前記実施形態の塗布具Ａは、回転ローラ３とカバー体４とが同一軸に回転可能に取り付けられたものであるのに対して、本実施形態の塗布具Ｂは回転ローラ３の取付軸とは異なる部材に取り付けられた点が異なる。
【００３７】
すなわち、把持部１（延在部２）からの第２の延在部１１に対して回転自在にカバー体４が取り付けられている。つまり、延在部１１の先端部１１ａが案内溝部１２を円周方向に動くことが出来るようになっている。そして、この回転自在な取付機構は、図４からも判る通り、遊星機構的なものである。尚、このような取付機構も取付方としては公知であるから、詳細な説明は省略される。但し、回転ローラ３を取り付けた延在部２とカバー体４を取り付けた延在部１１とが別部材であると、機構的には複雑になるものの、回転ローラ３を薬液中に浸ける場合、延在部２に対して延在部１１を取り外す（両者の嵌合状態を解除する）ことが簡単に出来、カバー体４を薬液中に浸けないように出来、この点では有利である。
【図面の簡単な説明】
【００３８】
【図１】本発明になる第１実施形態の塗布具の斜視図
【図２】第１実施形態の塗布具の前方移動（前進）時の説明図
【図３】第１実施形態の塗布具の後方移動（後退）時の説明図
【図４】本発明になる第２実施形態の塗布具の説明図
【符号の説明】
【００３９】
１                            把持部
２                            延在部
３                            回転ローラ
４                            カバー体
４ａ                          カバー面
５                            軸
６                            ゴム体
７ａ，７ｂ                    ローラ
代  理  人      宇  高    克  己
【図１】
2008302272.tif 000003
【図２】
2008302272.tif 000004
【図３】
2008302272.tif 000005
【図４】
2008302272.tif 000006